(57)【要約】【課題】  大画面化や多画面化が進んでもカーソルの位置を把握しやすくした情報処理装置を提供する。【解決手段】マルチ表示装置や大画面表示装置において、カーソル５０の表示領域１００を複数の分割表示領域Ａ、Ｂに分割し、所定の操作に基づいて、カーソル５０が現在表示されている座標位置から当該カーソル５０の現在の分割表示領域（ＡまたはＢ）を判定し、前記カーソル５０が移動する順番に従って分割表示領域の所定の位置（ＰＡ、ＰＢ）にカーソル５０を順次移動するように表示する。【選択図】  図１
2008234501.tif 000002
【特許請求の範囲】
【請求項１】
カーソルを表示する表示装置と、前記表示装置の表示画面上での座標位置を指示する操作装置と、前記操作装置の指示操作に基づいて前記カーソルを移動制御する制御装置を備えた情報処理装置において、
前記制御装置は、
前記カーソルを表示する表示領域を複数の分割表示領域に分割し、
該分割された分割表示領域は、所定の位置にカーソル移動位置が設定され、
前記操作装置の所定の操作に基づいて、前記カーソルが現在表示されている位置から、予め設定された所定の分割表示領域の所定の位置に前記カーソルを移動させる
ことを特徴とする情報処理装置。
【請求項２】
請求項１に記載の情報処理装置において、
前記分割表示領域は、前記操作装置の所定の操作に基づいて、前記カーソルが移動する順番が設定されており、
前記制御装置は、前記操作装置の所定の操作に基づいて、前記カーソルが現在表示されている座標位置から当該カーソルの現在の分割表示領域を判定し、前記カーソルが移動する順番に従って前記分割表示領域の所定の位置に前記カーソルを移動させる
ことを特徴とする情報処理装置。
【請求項３】
請求項２に記載の情報処理装置において、
前記操作装置は、前記カーソルを予め設定された移動する順番に従って操作する手段と、この順番と逆方向に前記カーソルを移動させる手段を備えている
ことを特徴とする情報処理装置。
【請求項４】
請求項１から３の何れかに記載の情報処理装置において、
該情報処理装置は、前記複数の分割表示領域と同じ数の表示装置が接続され、
前記制御装置は、前記複数の表示装置に対応する分割表示領域を割当てて表示させる
ことを特徴とする情報処理装置。
【請求項５】
請求項１から３の何れかに記載の情報処理装置において、
前記制御装置は、前記カーソルを表示する表示領域を１つの表示装置に表示させ、
該１つの表示装置の表示画面を仮想的に前記複数の分割表示領域に設定している
ことを特徴とする情報処理装置。
【発明の詳細な説明】
【技術分野】
【０００１】
本発明は、表示装置の表示画面に表示されるカーソルの位置を容易に把握できる情報処理装置に関するものである。
【背景技術】
【０００２】
多くの情報処理装置においては、表示装置の表示画面にカーソルを表示し、このカーソルを所定の位置に移動させて特定のイベントを実行させている。近年の情報処理装置では、大画面化や多画面化が進んでおり、これら広い画面領域上に１つの小さなカーソルを表示して、そのカーソルに対応する位置に各種のイベントを実行させている。
【０００３】
例えば、よく見られるマルチモニタでは、２つの表示装置を左右に並べて配置し、この左右並べて配置される２つの表示領域を１つのカーソルが移動可能な連続する表示領域として１つの情報処理装置で利用することができる。
【０００４】
【特許文献１】特開２００６−５９２５１号公報
【発明の開示】
【発明が解決しようとする課題】
【０００５】
前記マルチモニタを採用した情報処理装置によれば、２つの表示装置で表示される広い表示領域に複数の作業ウインドウ（アプリケーション）を開いて、これらを用いて作業をすることができるので、一々、アプリケーションを開いたり閉じたりする必要が無いから便利である。また、表示する領域も広いことから、作業ウインドウを大きく表示でき、視認性も向上することができる。
【０００６】
しかしながら、これら広い領域で作業をしていると、カーソルが迷子に成ってしまうことが起こる課題がある。カーソルは、マウスなどの座標指示装置で移動させるものであるが、マウスで移動させる場合、その移動量が少ないため、迷子になったカーソルを探し出すために、マウスを再三移動させて、その所在を探さなければならない。この課題は、広い領域に多くの作業ウインドウやアイコンを配列した場合には、カーソルと他の識別がしづらく大きな課題である。
【０００７】
そこで、この発明の目的とするところは、大画面化や多画面化が進んでもカーソルの位置を把握しやすくした情報処理装置を提供することにある。
【課題を解決するための手段】
【０００８】
前記目的を達成するために、本発明に係る情報処理装置では、カーソルの表示領域を複数の分割表示領域に分割し、所定の操作に基づいて、カーソルが現在表示されている座標位置から当該カーソルの現在の分割表示領域を判定し、前記カーソルが移動する順番に従って分割表示領域の所定の位置にカーソルを順次移動するように表示する。
【発明の効果】
【０００９】
本発明によれば、マウスなどの座標指示装置により所定の操作を行うと、カーソルが予め設定された分割表示領域の所定の位置を順次移動するように表示されるので、利用者は、ある特定の分割表示領域の所定の位置を見ていれば、カーソルを簡単に見つけることができる。
【発明を実施するための最良の形態】
【００１０】
以下、図１から図４を参照して、この実施の形態に係る情報処理装置を詳細に説明する。ここで、図１から図３がマルチ画面（マルチモニタ）に採用した第１の実施の形態であり、図４は大画面の表示画面に採用した第２の実施の形態である。なお、同一部位や矢印などは同一符号を持って示して重複した説明を省略する。
【００１１】
（第１の実施の形態）
図１から図３は、カーソルが移動可能な表示領域を、複数の表示装置で分割表示するマルチ画面（マルチモニタ）の情報処理装置に適用した実施例である。図１は、第１の実施の形態に係る情報処理装置の概略構成図である。図２はカーソルの移動概念図である。図３は情報処理装置の動作フロー図である。
【００１２】
先ず、図１を参照して、この情報処理装置の概略構造を説明する。図１において、この実施の形態に係る情報処理装置は、複数の表示装置２０を極一般的なパーソナルコンピュータに接続することで実現することができる。図１に示す実施の形態では、情報処理装置本体１０と、２台の表示装置２０Ａ，２０Ｂと、座標指示装置であるマウス３０と、文字や記号などの入力装置であるキーボード４０とから構成する。情報処理装置本体１０は、この情報処理装置を統括的に制御するマイコンなどからなる制御部１１とハードデイスク装置などの記憶部１２と電源部１３とを含んで構成する。
【００１３】
また、マウス３０は、一対のクリックボタン３１とホイール３２を備えたものを採用している。この実施の形態では、座標指示装置としてマウス３０を採用しているが、座標指示装置はカーソル５０を移動させる装置であればよく、ジョイスティックやトラックパッド、トラックボールなどでも良い。また、カーソル５０の移動を、前記キーボード４０に設けた図示しないカーソルボタンや特定の操作キーに割当てて動作するようにしても良い。
【００１４】
そして、この実施の形態における情報処理装置の特徴は、カーソル５０の表示領域１００（図２参照）を、複数の表示装置２０のそれぞれの表示画面２１（分割表示領域Ａ、Ｂ）に分割して表示し、所定の操作に基づいて、カーソル５０を予め設定された前記各分割表示領域Ａ，Ｂの所定の位置（ＰＡ、ＰＢ）を順次移動するように表示する。
【００１５】
即ち、図１に示す情報処理装置は、２台の表示装置２０Ａ，２０Ｂの各表示画面２１Ａ，２１Ｂが連続した１つの表示領域１００（図２参照）として設定されている。この説明では、各表示画面２１Ａ，２１Ｂをそれぞれ分割表示領域Ａ，Ｂと定義し、この分割表示領域Ａ，Ｂが、カーソル５０が移動可能な表示領域１００（図２参照）を構成する。
【００１６】
例えば、分割表示領域Ａの左端にあるカーソル５０をマウス３０で移動させる場合、制御部１１は、マウス３０が横方向の矢印Ｌ１の方向に移動すると、前記矢印Ｌ１の移動量にしたがって、カーソル５０を矢印Ｌ２の方向、即ち、分割表示領域Ａの左端にあるカーソル５０を右方向に移動させる。カーソル５０が分割表示領域Ａの右端に来た位置で更にマウス３０が矢印Ｌ１の方向に移動すると、制御部１１は、分割表示領域Ｂの左端にカーソル５０を移動して更に矢印Ｌ３の方向に移動させる。そして、制御部１１は、カーソル５０が分割表示領域Ｂの右端に至った位置ではマウス３０の矢印Ｌ１への移動を無効とする。
【００１７】
前記の説明では表示画面２１の横方向へのカーソル５０の移動を説明したが、制御部１１は、表示画面２１の縦方向のカーソル５０の移動も同様に処理する。このように、この情報処理装置では、分割表示領域ＡとＢを１つの連続したカーソル５０の表示領域１００（図２参照）として動作する。
【００１８】
そして、この情報処理装置では、ホイール３２の操作がなされると、カーソル５０が分割表示領域Ａに表示されていれば、分割表示領域Ｂの所定の位置ＰＢにカーソル５０を移動させ、更にホイール３２の操作がなされると、分割表示領域Ａの所定の位置ＰＡにカーソル５０を移動させ、更にホイール３２の操作がなされると、分割表示領域Ｂの所定の位置ＰＢにカーソル５０を移動させる。このように、この実施の形態では、特定の操作として、ホイール３２の操作がなされると、カーソル５０を他の分割表示領域の所定の位置に飛ばす（移動させる）ことができる。
【００１９】
ここで、この実施の形態では、前記所定の位置ＰＡ，ＰＢを各分割表示領域Ａ，Ｂの画面の中心位置に設定しているが、この中心に限定されるものではなく、特定の位置であれば各分割表示領域の何処でも良い。また、この実施の形態では、特定の操作として、ホイール３２の操作を採用しているが、マウス３０のクリックボタン３１やキーボード４０の特定の操作キーに割り付けてもよい。
【００２０】
このように、この実施の形態によれば、マウス３０などの座標指示装置によって特定の操作を行うと、カーソル５０が何処の位置にあっても、カーソル５０が表示されている分割表示領域の他の分割表示領域の特定の位置に表示されるので、使用者は、特定の位置を注目していればカーソル５０を簡単に見つけることができる。
【００２１】
以下、図２と図３を参照して、この実施の形態に係る情報処理装置の前記特徴を更に詳細に説明する。
【００２２】
先ず、図２に示すのは、４台の表示装置２０Ａ，２０Ｂ，２０Ｃ，２０Ｄを格子状に配置して１つの連続した表示領域１００を構成したマルチ画面（マルチモニタ）の実施例である。図２（ａ）は、表示領域１００と４つの分割表示領域Ａ，Ｂ，Ｃ，Ｄとの関係を示した座標図であり、図２（ｂ）は、４つの分割表示領域Ａ，Ｂ，Ｃ，Ｄと４つの表示装置との関係を示した図である。
【００２３】
図２（ａ）において、横軸Ｘはカーソル５０のＸ座標であり、縦軸Ｙはカーソル５０のＹ座標を示している。カーソル５０が移動可能な連続する表示領域１００の大きさは、横軸Ｘの方向に４Ｘの大きさを備え、縦軸Ｙの方向に４Ｙの大きさを備えている。そして、この表示領域１００は横軸Ｘ方向と縦軸Ｙ方向にそれぞれ等分に２分割されている。つまり、表示領域１００は、左上の領域を構成する分割表示領域Ａと、右上の領域を構成する分割表示領域Ｂと、左下の領域を構成する分割表示領域Ｃと、右下の領域を構成する分割表示領域Ｄとから構成される。
【００２４】
即ち、分割表示領域Ａは、横座標Ｘの０から２Ｘ、縦座標Ｙの２Ｙから４Ｙの領域の大きさを備えている。また、分割表示領域Ｂは、横座標Ｘの２Ｘから４Ｘ、縦座標Ｙの２Ｙから４Ｙの領域の大きさを備えている。分割表示領域Ｃは、横座標Ｘの０から２Ｘ、縦座標Ｙの０から２Ｙの領域の大きさを備えている。分割表示領域Ｄは、横座標Ｘの２Ｘから４Ｘ、縦座標Ｙの０Ｙから２Ｙの領域の大きさを備えている。
【００２５】
一方、分割表示領域Ａ，Ｂ，Ｃ，Ｄを表示する４台の表示装置２０Ａ，２０Ｂ，２０Ｃ，２０Ｄは、左上に表示装置２０Ａを、右上に表示装置２０Ｂを、左下に表示装置２０Ｃを、右下に表示装置２０Ｄを夫々近接して配置され、表示装置２０Ａに分割表示領域Ａを、表示装置２０Ｂに分割表示領域Ｂを、表示装置２０Ｃに分割表示領域Ｃを、表示装置２０Ｄに分割表示領域Ｄを夫々表示させる。これにより、表示領域１００を４つの表示装置２０Ａ，２０Ｂ，２０Ｃ，２０Ｄに分担して表示させることができる。
【００２６】
また、夫々の分割表示領域Ａ，Ｂ，Ｃ，Ｄの中心位置には、カーソル５０を飛ばすための所定位置ＰＡ（１Ｘ：３Ｙ）、ＰＢ（３Ｘ：３Ｙ）、ＰＣ（１Ｘ：１Ｙ）、ＰＤ（３Ｘ：１Ｙ）が予め設定されている。
【００２７】
次に、カーソル５０を飛ばす機能を、図３の動作フローに従って、図２を参照しながら説明する。図２及び図３において、制御部１１は、この情報処理装置のシステムが立ち上がると所定の動作、この実施の形態ではホイール３２が操作されるか否かを監視している（ステップ７１）。ここで、ホイール３２が操作されると、制御部１１は、カーソル５０の現在の座標（ＮＸ：ＭＹ）を算出する（ステップ７２）。次に、制御部１１は、現在の座標（ＮＸ：ＭＹ）から現在の分割表示領域を判定する（ステップ７３）。この図２の実施例では、カーソル５０が分割表示領域Ｄと判定する。
【００２８】
そして、制御部１１は、ホイール３２が図１に示す矢印Ｚ１の方向に回転されているか（順送り方向の操作か）、矢印Ｚ２の方向に回転しているか（反順送り方向の操作か）を判定する（ステップ７４）。この実施の形態では、ホイール３２をローラで構成しているので、図１に示すように矢印Ｚ１方向に回転させると、例えば右方向にカーソル５０を飛ばし、矢印Ｚ２方向に回転させると矢印Ｚ１と反対方向の左方向にカーソル５０を飛ばすことができる。この実施の形態では、ホイール３２が矢印Ｚ１の方向に回転されると、分割表示領域Ａ，Ｂ，Ｃ，Ｄの順番でカーソル５０を飛ばし、逆にホイール３２が矢印Ｚ２の方向に回転されると、分割表示領域Ｄ，Ｃ，Ｂ，Ａの順番でカーソル５０を飛ばすように設定されている。
【００２９】
したがって、制御部１１は、ホイール３２が矢印Ｚ１の方向に回転されると、カーソル座標の分割表示領域に＋１の分割表示領域の所定の位置にカーソル５０を移動して表示する（ステップ７５）。即ち、図２の場合、カーソル５０が表示される分割表示領域は分割領域Ｄであるので、＋１の順番となる分割表示領域Ａの所定の位置ＰＡにカーソル５０を飛ばして表示する。
【００３０】
一方、ステップ７４において、制御部１１は、ホイール３２が矢印Ｚ２の方向に回転されると、カーソル座標の分割表示領域に−１の分割表示領域の所定の位置にカーソル５０を移動して表示する（ステップ７６）。即ち、図２の場合、カーソル５０が表示される分割表示領域は分割領域Ｄであるので、−１の順番となる分割表示領域Ｃの所定の位置ＰＣにカーソル５０を飛ばして表示する。
【００３１】
この実施の形態では、ホイール３２は、連続的に回転する構造ではなくデジタル的に回転する構造を備えている。したがって、ホイール３２を１目盛り回転させるとカーソル５０を一回飛ばすことができ、２目盛り回転させると２回カーソルを飛ばすことができる。したがって、ホイール３２を矢印Ｚ１またはＺ２方向に回転させると、制御部１１は、図３の動作フローにしたがって、表示領域Ａ，Ｂ，Ｃ，Ｄの所定の位置ＰＡ，ＰＢ，ＰＣ，ＰＤを順に、あるいは、この逆方向にカーソル５０を飛ばして表示する。
【００３２】
この実施の形態によれば、カーソル５０を見失った場合、例えば、ある１つの表示領域の所定の位置に注目しながらホイール３２を回転させればカーソル５０を見つけることができる。仮に、ホイール３２を回転しすぎて行き過ぎた場合でもホイール３２をゆっくり逆回転させればカーソル５０を見つけることができる。
【００３３】
（第２の実施の形態）
次に、図４を参照して、第２の実施の形態に係る情報処理装置を説明する。図４は、カーソルの移動概念図であり、図４（ａ）は、表示領域１００と４つの仮想分割表示領域Ａ’，Ｂ’，Ｃ’，Ｄ’との関係を示した座標図であり、図４（ｂ）は、４つの仮想分割表示領域Ａ’，Ｂ’，Ｃ’，Ｄ’と表示装置との関係を示した図である。
【００３４】
図４（ａ）において、横軸Ｘはカーソル５０のＸ座標であり、縦軸Ｙはカーソル５０のＹ座標を示している。カーソル５０が移動可能な連続する表示領域１００の大きさは、横軸Ｘの方向に４Ｘの大きさを備え、縦軸Ｙの方向に４Ｙの大きさを備えている。そして、この表示領域１００は、横軸Ｘ方向と縦軸Ｙ方向にそれぞれ等分に２分割されている。つまり、表示領域１００は、左上の領域を構成する仮想分割表示領域Ａ’と、右上の領域を構成する仮想分割表示領域Ｂ’と、左下の領域を構成する仮想分割表示領域Ｃ’と、右下の領域を構成する仮想分割表示領域Ｄ’とから構成される。
【００３５】
即ち、仮想分割表示領域Ａ’は横座標Ｘの０から２Ｘ、縦座標Ｙの２Ｙから４Ｙの領域の大きさを備えている。また、仮想分割表示領域Ｂ’は横座標Ｘの２Ｘから４Ｘ、縦座標Ｙの２Ｙから４Ｙの領域の大きさを備えている。仮想分割表示領域Ｃ’は横座標Ｘの０から２Ｘ、縦座標Ｙの０から２Ｙの領域の大きさを備えている。仮想分割表示領域Ｄ’は横座標Ｘの２Ｘから４Ｘ、縦座標Ｙの０Ｙから２Ｙの領域の大きさを備えている。
【００３６】
一方、この実施の形態では、表示領域１００を１つの表示装置２０の表示画面２１で表示する。したがって、表示装置２０には仮想的に４分割された表示領域１００が表示される。更に、各仮想分割表示領域Ａ’，Ｂ’，Ｃ’，Ｄ’は、夫々の中心位置にカーソル５０が飛ばすための所定位置ＰＡ（１Ｘ：３Ｙ）、ＰＢ（３Ｘ：３Ｙ）、ＰＣ（１Ｘ：１Ｙ）、ＰＤ（３Ｘ：１Ｙ）が予め設定されている。
【００３７】
この実施の形態によれば、制御部１１は、ホイール３２が操作されると、図３の動作フローと同様なフローで、カーソル５０を各仮想表示領域の所定の位置へ順番に飛ばして表示することができる。例えば、図４（ａ）の例では、ホイール３２が操作されると、制御部１１は、カーソル５０の現在の座標（ＮＸ：ＭＹ）を算出し、現在の座標（ＮＸ：ＭＹ）から現在の仮想分割表示領域Ｄ’を判定する。そして、現在の仮想分割表示領域Ｄ’の次の仮想分割表示領域の所Ａ’定位置ＰＡにカーソル５０を飛ばす（移動させる）ことができる。もちろん、ホイール３２の回転方向により、カーソル５０の移動方向を反転することも可能である。
【００３８】
このように、この第２の実施の形態では、大画面の表示装置２０であっても、特定の仮想表示領域の所定の位置を注目していればカーソル５０を見つけることができる。
【図面の簡単な説明】
【００３９】
【図１】第１の実施の形態に係る情報処理装置の概略構成図である。
【図２】カーソルの移動概念図である。
【図３】情報処理装置の動作フロー図である。
【図４】第２の実施の形態に係る情報処理装置の概略構成図である。
【符号の説明】
【００４０】
１０…情報処理装置本体、１１…制御部、１２…記憶部、１３…電源部、２０、２０Ａ、２０Ｂ…表示装置、２１、２１Ａ，２１Ｂ…表示画面、３０…マウス、３１…クリックボタン、３２…ホイール、４０…キーボード、５０…カーソル、１００…表示領域、Ａ，Ｂ…分割表示領域、Ａ’，Ｂ’…仮想分割表示領域、ＰＡ，ＰＢ…各分割表示領域の所定の位置、Ｌ１…矢印、Ｌ２…矢印、Ｌ３…矢印。
【図１】
2008234501.tif 000003
【図２】
2008234501.tif 000004
【図３】
2008234501.tif 000005
【図４】
2008234501.tif 000006